(57)【要約】【課題】ＳＲ送信用リソースを適切に割り当てる。【解決手段】本発明に係る無線基地局ｅＮＢは、各移動局ＵＥに対して、ＳＲ送信用リソースとして割り当てる時間方向リソースと周波数方向リソースとコード方向リソースとを決定するように構成されているリソース割当部１１を具備し、リソース割当部１１は、ＳＲ送信用リソースとして割り当てる時間方向リソース及び周波数方向リソースを決定した後、ＳＲ送信用リソースとして割り当てるコード方向リソースを決定するように構成されている。【選択図】図１３
2010232741.tif 000002
【特許請求の範囲】
【請求項１】
各移動局に対して、上りデータ通信についてのスケジューリングを要求するスケジューリング要求を送信するためのスケジューリング要求送信用リソースとして割り当てる時間方向リソースと周波数方向リソースとコード方向リソースとを決定するように構成されているリソース割当部を具備し、
前記リソース割当部は、前記スケジューリング要求送信用リソースとして割り当てる時間方向リソース及び周波数方向リソースを決定した後、該スケジューリング要求送信用リソースとして割り当てる前記コード方向リソースを決定するように構成されていることを特徴とする無線基地局。
【請求項２】
前記リソース割当部は、各周波数方向リソースにおけるコード方向リソースの使用状況に基づいて、前記スケジューリング要求送信用リソースとして割り当てる周波数方向リソースを決定するように構成されていることを特徴とする請求項１に記載の無線基地局。
【請求項３】
前記リソース割当部は、各時間方向リソース内において、使用中のコード方向リソースの数が少ない周波数方向リソースから順に、前記スケジューリング要求送信用リソースとして割り当てるように構成されていることを特徴とする請求項２に記載の無線基地局。
【請求項４】
前記リソース割当部は、各時間方向リソース内において、使用可能なコード方向リソースの数が多い周波数方向リソースから順に、前記スケジューリング要求送信用リソースとして割り当てるように構成されていることを特徴とする請求項２に記載の無線基地局。
【請求項５】
前記リソース割当部は、各時間方向リソース内において、コード方向リソースの使用率が小さい周波数方向リソースから順に、前記スケジューリング要求送信用リソースとして割り当てるように構成されていることを特徴とする請求項２に記載の無線基地局。
【請求項６】
前記リソース割当部は、各周波数方向リソースにおいて、解放された後に一定期間経過したコード方向リソースを、前記使用可能なコード方向リソースとするように構成されていることを特徴とする請求項３に記載の無線基地局。
【請求項７】
セミパーシステントスケジューリング送達確認信号送信用リソースは、セミパーシステントスケジューリングによってスケジューリングされ下りデータチャネルを介して送信された下りデータに対する送達確認信号を送信するためのリソースであり、
ダイナミックスケジューリング送達確認信号送信用リソースは、ダイナミックスケジューリングによってスケジューリングされ下りデータチャネルを介して送信された下りデータに対する送達確認信号を送信するためのリソースであり、
前記リソース割当部は、前記スケジューリング要求送信用リソースとして割り当てられた前記周波数方向リソース内で使用可能なコード方向リソースのうち、前記ダイナミックスケジューリング送達確認信号送信用リソースとして使用可能なコード方向リソース以外の残りのコード方向リソースを、前記セミパーシステントスケジューリング送達確認信号送信用リソース或いは該スケジューリング要求送信用リソースとして使用可能なコード方向リソースとするように構成されていることを特徴とする請求項１に記載の無線基地局。
【請求項８】
前記リソース割当部は、各周波数方向リソースにおける前記セミパーシステントスケジューリング送達確認信号送信用リソースとして使用されているコード方向リソースの使用状況及び前記スケジューリング要求送信用リソースとして使用されているコード方向リソースの使用状況に基づいて、該スケジューリング要求送信用リソースとして割り当てる周波数方向リソースを決定するように構成されていることを特徴とする請求項７に記載の無線基地局。
【請求項９】
前記リソース割当部は、前記残りのコード方向リソースのうち、最も小さい番号が付与されているコード方向リソースから順に、偶数番号が付与されているコード方向リソースを、前記スケジューリング要求送信用リソースとして割り当てていくように構成されていることを特徴とする請求項７に記載の無線基地局。
【請求項１０】
前記リソース割当部は、前記残りのコード方向リソースのうち、最も小さい番号が付与されているコード方向リソースから順に、奇数番号が付与されているコード方向リソースを、前記スケジューリング要求送信用リソースとして割り当てていくように構成されていることを特徴とする請求項７に記載の無線基地局。
【請求項１１】
前記リソース割当部は、前記残りのコード方向リソースのうち、最も大きい番号が付与されているコード方向リソースから順に、偶数番号が付与されているコード方向リソースを、前記スケジューリング要求送信用リソースとして割り当てていくように構成されていることを特徴とする請求項７に記載の無線基地局。
【請求項１２】
前記リソース割当部は、前記残りのコード方向リソースのうち、最も大きい番号が付与されているコード方向リソースから順に、奇数番号が付与されているコード方向リソースを、前記スケジューリング要求送信用リソースとして割り当てていくように構成されていることを特徴とする請求項７に記載の無線基地局。
【請求項１３】
各移動局に対して、上りデータ通信についてのスケジューリングを要求するスケジューリング要求を送信するためのスケジューリング要求送信用リソースとして割り当てる時間方向リソースと周波数方向リソースとコード方向リソースとを決定する工程Ａと、
前記スケジューリング要求送信用リソースとして割り当てられた前記時間方向リソースと前記周波数方向リソースと前記コード方向リソースとを、各移動局に対して通知する工程Ｂとを有し、
前記工程Ａにおいて、前記スケジューリング要求送信用リソースとして割り当てる時間方向リソース及び周波数方向リソースを決定した後、該スケジューリング要求送信用リソースとして割り当てる前記コード方向リソースを決定することを特徴とする移動通信方法。
【発明の詳細な説明】
【技術分野】
【０００１】
本発明は、無線基地局及び移動通信方法に関する。
【背景技術】
【０００２】
３ＧＰＰで規定されているＬＴＥ（Ｌｏｎｇ  Ｔｅｒｍ  Ｅｖｏｌｕｔｉｏｎ）方式の移動通信システムでは、各移動局ＵＥは、ＰＵＣＣＨ（Ｐｈｙｓｉｃａｌ  Ｕｐｌｉｎｋ  Ｃｏｎｔｒｏｌ  Ｃｈａｎｎｅｌ、物理上り制御チャネル）を介して、無線基地局ｅＮＢに対して、上りデータ通信についてのスケジューリングを要求するスケジューリング要求（Ｓｃｈｅｄｕｌｉｎｇ  Ｒｅｑｕｅｓｔ、以下、ＳＲ）を送信するように構成されている。
【先行技術文献】
【非特許文献】
【０００３】
【非特許文献１】３ＧＰＰ  ＴＳ３６.２１１  Ｖ８.５.０、「Ｐｈｙｓｉｃａｌ  Ｃａｈｅｎｎｅｌ  ａｎｄ  Ｍｏｄｕｌａｔｉｏｎ」、２００８年１１月
【非特許文献２】３ＧＰＰ  ＴＳ３６.２１３  Ｖ８.５.０、「Ｐｈｙｓｉｃａｌ  Ｌａｙｅｒ  Ｐｒｏｃｅｄｕｒｅ」、２００８年１１月
【発明の概要】
【発明が解決しようとする課題】
【０００４】
しかしながら、３ＧＰＰでは、各移動局ＵＥに対するＳＲ送信用リソースの割り当て方法について規定されていないため、上述の移動通信システムにおいて、ＳＲ送信用リソースが適切に割り当てられない場合があるという問題点があった。
【０００５】
そこで、本発明は、上述の課題に鑑みてなされたものであり、ＳＲ送信用リソースを適切に割り当てることができる無線基地局及び移動通信方法を提供することを目的とする。
【課題を解決するための手段】
【０００６】
本発明の第１の特徴は、無線基地局であって、各移動局に対して、上りデータ通信についてのスケジューリングを要求するスケジューリング要求を送信するためのスケジューリング要求送信用リソースとして割り当てる時間方向リソースと周波数方向リソースとコード方向リソースとを決定するように構成されているリソース割当部を具備し、前記リソース割当部は、前記スケジューリング要求送信用リソースとして割り当てる時間方向リソース及び周波数方向リソースを決定した後、該スケジューリング要求送信用リソースとして割り当てる前記コード方向リソースを決定するように構成されていることを要旨とする。
【０００７】
本発明の第２の特徴は、移動通信方法であって、各移動局に対して、上りデータ通信についてのスケジューリングを要求するスケジューリング要求を送信するためのスケジューリング要求送信用リソースとして割り当てる時間方向リソースと周波数方向リソースとコード方向リソースとを決定する工程Ａと、前記スケジューリング要求送信用リソースとして割り当てられた前記時間方向リソースと前記周波数方向リソースと前記コード方向リソースとを、各移動局に対して通知する工程Ｂとを有し、前記工程Ａにおいて、前記スケジューリング要求送信用リソースとして割り当てる時間方向リソース及び周波数方向リソースを決定した後、該スケジューリング要求送信用リソースとして割り当てる前記コード方向リソースを決定することを要旨とする。
【発明の効果】
【０００８】
以上説明したように、本発明によれば、ＳＲ送信用リソースを適切に割り当てることができる無線基地局及び移動通信方法を提供することができる。
【図面の簡単な説明】
【０００９】
【図１】本発明の第１の実施形態に係る移動通信システムの全体構成図である。
【図２】本発明の第１の実施形態に係る無線基地局の機能ブロック図である。
【図３】本発明の第１の実施形態に係る無線基地局によって割り当てられたＳＲ送信用サブフレームの一例について説明するための図である。
【図４】本発明の第１の実施形態に係る無線基地局によるＰＵＣＣＨ用リソースの割り当て方法について説明するための図である。
【図５】本発明の第１の実施形態に係る無線基地局によって割り当てられたＰＵＣＣＨ用リソース内のリソースブロックについて説明するための図である。
【図６】本発明の第１の実施形態に係る無線基地局によって、ＣＱＩ、Ａ/Ｎ及びＳＲを送信するために、ＰＵＣＣＨ用リソース内のリソースブロックを割り当てる方法について説明するための図である。
【図７】本発明の第１の実施形態に係る無線基地局によって、ＰＵＣＣＨ用リソース内のリソースブロックのうち、Ａ/Ｎ及びＳＲを送信するために割り当てられたリソースブロックについて説明するための図である。
【図８】本発明の第１の実施形態に係る無線基地局によって、ＰＵＣＣＨ用リソース内のリソースブロックのうち、ＣＱＩ、Ａ/Ｎ及びＳＲを混在して送信するため割り当てられたリソースブロックについて説明するための図である。
【図９】本発明の第１の実施形態に係る無線基地局によって割り当てられるＰＵＣＣＨ用リソース内のコード方向リソースの一例について説明するための図である。
【図１０】本発明の第１の実施形態に係る無線基地局によって、ＳＲ送信用リソースを割り当てる方法について説明するための図である。
【図１１】本発明の第１の実施形態に係る無線基地局によって、ＳＲ送信用リソースを割り当てる方法について説明するための図である。
【図１２】本発明の第１の実施形態に係る無線基地局によって、ＳＲ送信用リソースを割り当てる方法について説明するための図である。
【図１３】本発明の第１の実施形態に係る無線基地局によるＳＲ送信用リソースを割り当てる方法について示すフローチャート図である。
【発明を実施するための形態】
【００１０】
（本発明の第１の実施形態に係る移動通信システムの構成）
図１乃至図１２を参照して、本発明の第１の実施形態に係る移動通信システムの構成について説明する。
【００１１】
本実施形態に係る移動通信システムは、ＬＴＥ方式の移動通信システムであって、本実施形態に係る移動通信システムでは、図１に示すように、移動局ＵＥが、ＰＵＣＣＨを介して、無線基地局ｅＮＢに対して、下りリンクにおける受信品質を通知するために用いるべき受信品質を示すＣＱＩ（Ｃｈａｎｎｅｌ  Ｑｕａｌｉｔｙ  Ｉｎｄｉｃａｔｏｒ）や、下りデータに対するＡＣＫ/ＮＡＣＫ（以下、Ａ/Ｎ）や、ＳＲ等を送信するように構成されている。
【００１２】
図２に示すように、無線基地局ｅＮＢは、リソース割当部１１と、通知部１２とを具備している。
【００１３】
リソース割当部１１は、無線基地局ｅＮＢ配下の各セルにおいて、所定の物理チャネル用リソースを割り当てるように構成されている。
【００１４】
例えば、リソース割当部１１は、無線基地局ｅＮＢ配下の各セルにおいて、上り物理チャネル用リソースとして、ＰＵＣＣＨ用リソースや、ＰＵＳＣＨ（Ｐｈｙｓｉｃａｌ  Ｕｐｌｉｎｋ  Ｓｈａｒｅｄ  Ｃｈａｎｎｅｌ、物理上り共有チャネル）用リソース等を割り当てるように構成されている。
【００１５】
また、リソース割当部１１は、無線基地局ｅＮＢ配下の各セルにおいて、下り物理チャネル用リソースとして、ＰＤＣＣＨ（Ｐｈｙｓｉｃａｌ  Ｄｏｗｎｌｉｎｋ  Ｃｏｎｔｒｏｌ  Ｃｈａｎｎｅｌ、物理下り制御チャネル）用リソースや、ＰＤＳＣＨ（Ｐｈｙｓｉｃａｌ  Ｄｏｗｎｌｉｎｋ  Ｓｈａｒｅｄ  Ｃｈａｎｎｅｌ、物理下り共有チャネル）用リソース等を割り当てるように構成されている。
【００１６】
ここで、リソース割当部１１は、ＰＵＣＣＨ用リソースの中から、ＣＱＩ送信用リソースやＡ/Ｎ送信用リソースやＳＲ送信用リソースを割り当てるように構成されている。
【００１７】
リソース割当部１１によるリソースの割り当て動作の具体例については後述する。
【００１８】
通知部１２は、無線基地局ｅＮＢ配下の各セルにおいて、リソース割当部１１によって割り当てられたリソースを通知するように構成されている。
【００１９】
具体的には、通知部１２は、ＲＲＣメッセージで、各移動局ＵＥに対して、ＣＱＩ送信用リソースやＡ/Ｎ送信用リソースやＳＲ送信用リソースを通知するように構成されている。
【００２０】
以下、リソース割当部１１によるリソースの割り当て動作の具体例について説明する。
【００２１】
具体的には、リソース割当部１１は、各移動局ＵＥに対してＳＲ送信用リソースとして割り当てる時間方向リソースと周波数方向リソースとコード方向リソースを決定するように構成されている。
【００２２】
図３に示すように、リソース割当部１１は、各移動局ＵＥに対してＳＲ送信用リソースとして割り当てる時間方向リソースとして、ＳＲを送信するサブフレームを決定するように構成されていてもよい。
【００２３】
例えば、図３に示すように、ＳＲを送信するサブフレームは、ＳＲの送信周期及び無線フレームの先頭からのオフセットによって決定される。
【００２４】
図４及び図５に示すように、リソース割当部１１は、システム帯域幅における両端のリソースブロックから順に、ＰＵＣＣＨ用リソースブロックとして割り当て、ＰＵＣＣＨ用リソースブロックとして割り当てられたリソースブロックの内側のリソースブロックを、ＰＵＳＣＨ用リソースブロックとして割り当てるように構成されている。
【００２５】
ここで、リソースブロック（Ｒｅｓｏｕｒｃｅ  Ｂｌｏｃｋ、以下、ＲＢ）は、７ＯＦＤＭシンボルと１２サブキャリアとによって構成されている。
【００２６】
なお、図４に示すように、各ＰＵＣＣＨ用ＲＢでは、コード多重が行われるように構成されている。したがって、リソース割当部１１は、ＰＵＣＣＨ用リソースとして、時間方向リソースと周波数方向リソースとコード方向リソースとを割り当てるように構成されている。
【００２７】
また、リソース割当部１１は、１つのサブフレーム内の前半部分（スロット）と後半部分（スロット）との間で、図４に示すような「Ｉｎｔｒａ-ｓｕｂｆｒａｍｅ  ｆｒｅｑｕｅｎｃｙ  ｈｏｐｐｉｎｇ」によって、ＰＵＣＣＨ用リソースを割り当てるように構成されている。
【００２８】
図５に示すように、リソース割当部１１は、同一のＲＢ番号が付与されている２個のＲＢを、同一のＰＵＣＣＨ用ＲＢとして割り当てるように構成されている。
【００２９】
図６に示すように、リソース割当部１１は、ＰＵＣＣＨ用ＲＢとして割り当てられているＲＢのうち、若いＲＢ番号が付与されているものから順に、ＣＱＩ送信用ＲＢとして割り当て、残りのＲＢを、Ａ/Ｎ送信用ＲＢ及びＳＲ送信用ＲＢとして割り当てるように構成されている。
【００３０】
なお、図６に示すように、ＰＵＣＣＨ用ＲＢの中には、ＣＱＩ送信用ＲＢであり、Ａ/Ｎ送信用ＲＢであり、かつ、ＳＲ送信用ＲＢである「ＣＱＩ、Ａ/Ｎ、ＳＲ混在ＲＢ」が存在してもよい。
【００３１】
リソース割当部１１は、各移動局ＵＥに対して、ＰＵＣＣＨ用ＲＢとして割り当てられているＲＢの中から、ＳＲ送信用リソースとして割り当てるＲＢ（周波数方向リソース）を決定するように構成されている。
【００３２】
また、Ａ/Ｎ送信用リソース及びＳＲ送信用リソースとして割り当て可能なコード方向リソースは、図７に示すように、各ＲＢ内で、複数（例えば、３個）のＯＣ（Ｏｒｔｈｏｇｏｎａｌ  Ｃｏｄｅ）及び「Ｃｙｃｌｉｃ  Ｓｈｉｆｔ」の関係にあり互いに直交する複数（例えば、１２個）の系列（Ｃｙｃｌｉｃ  Ｓｅｑｕｅｎｃｅ、以下、ＣＳ）の組み合わせ（以下、ＣＳ/ＯＣ）によって多重されている。
【００３３】
図７に示すように、かかる１サブフレーム内においてＡ/Ｎ送信用リソース及びＳＲ送信用リソースとして割り当て可能なコード方向リソース（ＣＳ/ＯＣ）には、リソースインデックス（Ｒｅｓｏｕｒｃｅ  Ｉｎｄｅｘ）が付与されている。かかるリソースインデックスは、１サブフレーム内で、複数のＲＢを跨いで連続して付与されるように構成されている。
【００３４】
すなわち、リソース割当部１１は、ＳＲ送信用リソースとして割り当てる各サブフレーム内のリソース（ＲＢとＣＳ/ＯＣとの組み合わせ）を特定するリソースインデックスを決定し、通知部１２は、各移動局ＵＥに対して、決定したリソースインデックスを通知し、各移動局ＵＥは、通知されたリソースインデックスによって特定されるＳＲ送信用リソース（ＰＵＣＣＨ用リソース内）を用いて、ＳＲを送信するように構成されている。
【００３５】
また、ＣＱＩ、Ａ/Ｎ、ＳＲ混在ＲＢ＃ＮＲＢ（２）では、図８に示すように、ＣＱＩ送信用リソースとして割り当て可能なコード方向リソース（ＣＳ/ＯＣ）と、Ａ/Ｎ送信用リソース及びＳＲ送信用リソースとして割り当て可能なコード方向リソース（ＣＳ/ＯＣ）とが存在する。
【００３６】
ここで、「ＮＣＳ（１）」は、ＣＱＩ、Ａ/Ｎ、ＳＲ混在ＲＢにおいて、Ａ/Ｎ送信用リソース及びＳＲ送信用リソースとして割り当て可能なＣＳの数であり、Δｓｈｉｆｔの倍数である。Δｓｈｉｆｔは、ＣＳを算出される際に用いられた「Ｃｙｃｌｉｃ  Ｓｈｉｆｔ」の量である。
【００３７】
図８の例では、Ａ/Ｎ送信用リソース及びＳＲ送信用リソースとして、１つの周波数方向リソース（ＲＢ）内で、４個のコード方向リソース（ＣＳ）が多重可能であり、かつ、１つのコード方向リソース（ＣＳ）内で、３個のＯＣ（直交コード）が多重可能である。
【００３８】
なお、ＣＱＩ送信用リソースとして割り当て可能なコード方向リソース（ＣＳ）と、Ａ/Ｎ送信用リソース及びＳＲ送信用リソースとして割り当て可能なコード方向リソース（ＣＳ）との間には、干渉を避けるために、ガード用コード方向リソース（ＣＳ）が設けられている。また、ＣＱＩ送信用リソースとして割り当て可能なコード方向リソース（ＣＳ）間に、かかるガード用コード方向リソース（ＣＳ）が設けられていてもよい。
【００３９】
ＣＱＩ送信用リソースとして割り当て可能なコード方向リソース（ＣＳ）に付与されるリソースインデックスと、Ａ/Ｎ送信用リソース及びＳＲ送信用リソースとして割り当て可能なコード方向リソース（ＣＳ/ＯＣ）に付与されるリソースインデックスとは、別々のものである。
【００４０】
図９に、ＣＱＩ、Ａ/Ｎ、ＳＲ混在ＲＢ内で、ＣＱＩ送信用リソースとして割り当て可能なコード方向リソース（ＣＳ）に付与されるリソースインデックス、及び、Ａ/Ｎ送信用リソース及びＳＲ送信用リソースとして割り当て可能なコード方向リソース（ＣＳ/ＯＣ）に付与されるリソースインデックスの一例を示す。
【００４１】
また、図１０に示すように、Ａ/Ｎ送信用リソース及びＳＲ送信用リソースとして割り当て可能なコード方向リソース（ＣＳ/ＯＣ）は、ダイナミックスケジューリング送達確認信号送信用リソース（Ｄｙｎａｍｉｃ  Ｓｃｈｅｄｕｌｉｎｇ  Ａ/Ｎ送信用リソース、以下、ＤＳ  Ａ/Ｎ送信用リソース）、セミパーシステントスケジューリング送達確認信号送信用リソース（Ｓｅｍｉ-Ｐｅｒｓｉｓｔｅｎｔ  Ｓｃｈｅｄｕｌｉｎｇ  Ａ/Ｎ送信用リソース、以下、ＳＰＳ  Ａ/Ｎ送信用リソース）及びＳＲ送信用リソースとして割り当て可能（使用可能）である。
【００４２】
ここで、セミパーシステントスケジューリング（以下、ＳＰＳ）は、移動局ＵＥに対して、固定的なリソース（例えば、ＰＤＳＣＨ用リソースやＰＤＵＣＨ用リソース等）を周期的に割り当てるように構成されているスケジューリングであり、ダイナミックスケジューリング（以下、ＤＳ）は、移動局ＵＥに対して、各サブフレームにおいて、リソース（例えば、ＰＤＳＣＨ用リソースやＰＤＵＣＨ用リソース等）を割り当てるように構成されているスケジューリングである。
【００４３】
また、ＳＰＳ  Ａ/Ｎ送信用リソースは、ＳＰＳによってスケジューリングされたＰＤＳＣＨを介して送信され下りデータに対するＡ/Ｎを送信するためのリソースであり、ＤＳ  Ａ/Ｎ送信用リソースは、ＤＳによってスケジューリングされＰＤＳＣＨを介して送信された下りデータに対するＡ/Ｎを送信するためのリソースである。
【００４４】
具体的には、図１０に示すように、リソース割当部１１は、ＳＲ送信用リソースとして割り当てられたＣＱＩ、Ａ/Ｎ、ＳＲ混在ＲＢ内で使用可能なＣＳ/ＯＣのうち、ＤＳ  Ａ/Ｎ送信用リソースとして使用可能なＣＳ/ＯＣ以外の残りのＣＳ/ＯＣを、ＳＰＳ  Ａ/Ｎ送信用リソース或いはＳＲ送信用リソースとして使用可能なＣＳ/ＯＣとするように構成されていてもよい。
【００４５】
ここで、ＤＳ  Ａ/Ｎ送信用リソースに必要なＣＳ/ＯＣの数は、システム帯域幅によって固定的に決定される。例えば、システム帯域幅が「５ＭＨｚ」である場合には、ＤＳ  Ａ/Ｎ送信用リソースに必要なＣＳ/ＯＣの数は「２０」である。
【００４６】
また、図１０に示すように、リソース割当部１１は、リソースインデックスの順に並べた場合、先頭のリソースインデックスからＤＳ  Ａ/Ｎ送信用リソースとして使用可能なＣＳ/ＯＣとし、残りのＣＳ/ＯＣを、交互に、ＳＰＳ  Ａ/Ｎ送信用リソース或いはＳＲ送信用リソースとして使用可能なＣＳ/ＯＣとするように構成されていてもよい。
【００４７】
なお、ＳＲの送信頻度が少ないため、このように、ＳＰＳ  Ａ/Ｎ送信用リソースとして使用可能なＣＳ/ＯＣの間に、ＳＲ送信用リソースとして使用可能なＣＳ/ＯＣを挿入することによって、干渉を低減することができる。
【００４８】
上述のように、リソース割当部１１は、ＳＲ送信用リソースとして割り当てるサブフレーム及びＲＢを決定した後、ＳＲ送信用リソースとして割り当てるＣＳ/ＯＣを決定するように構成されている。
【００４９】
例えば、リソース割当部１１は、各ＲＢにおけるＣＳ/ＯＣの使用状況に基づいて、ＳＲ送信用リソースとして割り当てるＲＢを決定するように構成されていてもよい。
【００５０】
具体的には、リソース割当部１１は、各サブフレーム内において、使用中のＣＳ/ＯＣの数が少ないＲＢから順に、ＳＲ送信用リソースとして割り当てるように構成されていてもよい。
【００５１】
また、リソース割当部１１は、各サブフレーム内において、使用可能なＣＳ/ＯＣの数が多いＲＢから順に、ＳＲ送信用リソースとして割り当てるように構成されていてもよい。
【００５２】
ここで、リソース割当部１１は、各サブフレーム内において、解放された後に一定期間経過したＣＳ/ＯＣを、使用可能なＣＳ/ＯＣとするように構成されていてもよい。
【００５３】
或いは、リソース割当部１１は、各サブフレーム内において、ＣＳ/ＯＣの使用率が小さいＲＢから順に、ＳＲ送信用リソースとして割り当てるように構成されていてもよい。
【００５４】
例えば、リソース割当部１１は、（ＣＳ/ＯＣの使用率）＝（各ＲＢ内におけるリソース使用量）÷（各ＲＢ内におけるＳＲ送信用リソース及びＳＰＳ  Ａ/Ｎ送信用リソースとして割り当て可能なＣＳ/ＯＣの数）によって、各ＲＢにおけるＣＳ/ＯＣの使用率を算出するように構成されていてもよい。
【００５５】
ここで、各ＲＢ内におけるリソース使用量は、（各ＲＢ内におけるリソース使用量）＝ＷＳＲ×（各ＲＢ内においてＳＲ送信用リソースとして使用されているＣＳ/ＯＣの数）＋ＷＳＰＳ  Ａ/Ｎ×（ＳＰＳ  Ａ/Ｎ送信用リソースとして使用されているＣＳ/ＯＣの数）によって算出されてもよい。
【００５６】
なお、ＷＳＲ及びＷＳＰＳ  Ａ/Ｎは、ＳＲ及びＳＰＳ  Ａ/Ｎの送信頻度を考慮して決定される重み付け係数である。
【００５７】
すなわち、かかる場合、リソース割当部１１は、各ＲＢにおけるＳＰＳ  Ａ/Ｎ送信用リソースとして使用されているＣＳ/ＯＣの使用状況及びＳＲ送信用リソースとして使用されているＣＳ/ＯＣの使用状況に基づいて、ＳＲ送信用リソースとして割り当てるＲＢを決定するように構成されている。
【００５８】
この結果、同一のＲＢ内の干渉をできるだけ抑えることができる。
【００５９】
図１１に示すように、リソース割当部１１は、ＣＱＩ、Ａ/Ｎ、ＳＲ混在ＲＢ内で使用可能なＣＳ/ＯＣのうち、ＤＳ  Ａ/Ｎ送信用リソースとして使用可能なＣＳ/ＯＣ以外の残りのＣＳ/ＯＣのうち、最も小さいリソースインデックスが付与されているＣＳ/ＯＣから順に、奇数のリソースインデックスが付与されているＣＳ/ＯＣを、ＳＲ送信用リソースとして割り当てていくように構成されていてもよい。
【００６０】
かかる場合、リソース割当部１１は、ＣＱＩ、Ａ/Ｎ、ＳＲ混在ＲＢ内で使用可能なＣＳ/ＯＣのうち、ＤＳ  Ａ/Ｎ送信用リソースとして使用可能なＣＳ/ＯＣ以外の残りのＣＳ/ＯＣのうち、最も大きいリソースインデックスが付与されているＣＳ/ＯＣから順に、偶数のリソースインデックスが付与されているＣＳ/ＯＣを、ＳＰＳ  Ａ/Ｎ送信用リソースとして割り当てていくように構成されている。
【００６１】
ここで、図１１に示すように、ＳＲ送信用リソースとして使用されるＣＳ/ＯＣの数が、ＳＰＳ  Ａ/Ｎ送信用リソースとして使用されるＣＳ/ＯＣの数よりも多い場合には、最も小さいリソースインデックスが付与されているＣＳ/ＯＣから順に、偶数のリソースインデックスが付与されているＣＳ/ＯＣを、ＳＲ送信用リソースとして割り当てていくように構成されていてもよい。
【００６２】
この結果、ＳＲ送信用リソースとして使用されるＣＳ/ＯＣの数とＳＰＳ  Ａ/Ｎ送信用リソースとして使用されるＣＳ/ＯＣの数との比率を示す「リソース比率」を調整することができる。
【００６３】
図１１の例において、ＳＲ送信用リソースとして割り当てられるＣＳ/ＯＣを特定するリソースインデックスは、以下の通りである。
【００６４】
ＮｓｔａｒｔＳＲ＋２ｉ（ｉ＝０，１，…，ｃｅｉｌ（Ｎｔｏｔａｌ/２）−１）
ＮｓｔａｒｔＳＲ＋２ｊ＋１（ｊ＝０，１，…，ＮＳＲ―ｃｅｉｌ（Ｎｔｏｔａｌ/２）−１）
また、図１１の例において、ＳＰＳ  Ａ/Ｎ送信用リソースとして割り当てられるＣＳ/ＯＣを特定するリソースインデックスは、以下の通りである。
【００６５】
ＮｓｔａｒｔＳＲ＋２ｊ＋１（ｊ＝ＮＳＲ―ｃｅｉｌ（Ｎｔｏｔａｌ/２），…，ｆｌｏｏｒ（Ｎｔｏｔａｌ/２）−１）
ここで、ＮｓｔａｒｔＳＲは、ＳＲ送信用リソースとして使用可能なＣＳ/ＯＣの最も小さいリソースインデックスであり、ＮＳＲは、ＳＲ送信用リソースとして使用可能なＣＳ/ＯＣの数であり、Ｎｔｏｔａｌは、ＣＱＩ、Ａ/Ｎ、ＳＲ混在ＲＢ内で使用可能なＣＳ/ＯＣのうち、ＤＳ  Ａ/Ｎ送信用リソースとして使用可能なＣＳ/ＯＣ以外の残りのＣＳ/ＯＣの数である。
【００６６】
なお、リソース割当部１１は、ＣＱＩ、Ａ/Ｎ、ＳＲ混在ＲＢ内で使用可能なＣＳ/ＯＣのうち、ＤＳ  Ａ/Ｎ送信用リソースとして使用可能なＣＳ/ＯＣ以外の残りのＣＳ/ＯＣのうち、最も小さいリソースインデックスが付与されているＣＳ/ＯＣから順に、偶数のリソースインデックスが付与されているＣＳ/ＯＣを、ＳＲ送信用リソースとして割り当てていくように構成されていてもよい。
【００６７】
かかる場合、リソース割当部１１は、ＣＱＩ、Ａ/Ｎ、ＳＲ混在ＲＢ内で使用可能なＣＳ/ＯＣのうち、ＤＳ  Ａ/Ｎ送信用リソースとして使用可能なＣＳ/ＯＣ以外の残りのＣＳ/ＯＣのうち、最も大きいリソースインデックスが付与されているＣＳ/ＯＣから順に、奇数のリソースインデックスが付与されているＣＳ/ＯＣを、ＳＰＳ  Ａ/Ｎ送信用リソースとして割り当てていくように構成されている。
【００６８】
また、リソース割当部１１は、ＣＱＩ、Ａ/Ｎ、ＳＲ混在ＲＢ内で使用可能なＣＳ/ＯＣのうち、ＤＳ  Ａ/Ｎ送信用リソースとして使用可能なＣＳ/ＯＣ以外の残りのＣＳ/ＯＣのうち、最も大きいリソースインデックスが付与されているＣＳ/ＯＣから順に、偶数のリソースインデックスが付与されているＣＳ/ＯＣを、ＳＲ送信用リソースとして割り当てていくように構成されていてもよい。
【００６９】
かかる場合、リソース割当部１１は、ＣＱＩ、Ａ/Ｎ、ＳＲ混在ＲＢ内で使用可能なＣＳ/ＯＣのうち、ＤＳ  Ａ/Ｎ送信用リソースとして使用可能なＣＳ/ＯＣ以外の残りのＣＳ/ＯＣのうち、最も小さいリソースインデックスが付与されているＣＳ/ＯＣから順に、奇数のリソースインデックスが付与されているＣＳ/ＯＣを、ＳＰＳ  Ａ/Ｎ送信用リソースとして割り当てていくように構成されている。
【００７０】
さらに、リソース割当部１１は、ＣＱＩ、Ａ/Ｎ、ＳＲ混在ＲＢ内で使用可能なＣＳ/ＯＣのうち、ＤＳ  Ａ/Ｎ送信用リソースとして使用可能なＣＳ/ＯＣ以外の残りのＣＳ/ＯＣのうち、最も大きいリソースインデックスが付与されているＣＳ/ＯＣから順に、奇数のリソースインデックスが付与されているＣＳ/ＯＣを、ＳＲ送信用リソースとして割り当てていくように構成されていてもよい。
【００７１】
かかる場合、リソース割当部１１は、ＣＱＩ、Ａ/Ｎ、ＳＲ混在ＲＢ内で使用可能なＣＳ/ＯＣのうち、ＤＳ  Ａ/Ｎ送信用リソースとして使用可能なＣＳ/ＯＣ以外の残りのＣＳ/ＯＣのうち、最も小さいリソースインデックスが付与されているＣＳ/ＯＣから順に、偶数のリソースインデックスが付与されているＣＳ/ＯＣを、ＳＰＳ  Ａ/Ｎ送信用リソースとして割り当てていくように構成されている。
【００７２】
また、各ＲＢ内のＳＲ送信用リソースは、最も小さいリソースインデックスが付与されているＣＳ/ＯＣから順に、奇数番目のＣＳ/ＯＣから順に移動局ＵＥに割り当て、その後、最も小さいリソースインデックスが付与されているＣＳ/ＯＣから順に、偶数番目のＣＳ/ＯＣから順に移動局ＵＥに割り当てる。
【００７３】
また、上記割り当ての際、ＳＲ送信用リソースとして割り当てるＣＳ/ＯＣは、ラウンドロビンで割り当てるもとのしてもよい。
【００７４】
図１２に、ＮｓｔａｒｔＳＲが偶数である場合で、かつ、ＳＲ送信用リソースとして使用されるＣＳ/ＯＣの数がＳＰＳ  Ａ/Ｎ送信用リソースとして使用されるＣＳ/ＯＣの数よりも多い場合のＳＲ送信用リソースとして使用可能なＣＳ/ＯＣの割り当て順序の例について示す。
【００７５】
（本発明の第１の実施形態に係る移動通信システムの動作）
以下、図１３を参照して、本実施形態に係る移動通信システムの動作について、具体的には、本実施形態に係る無線基地局ｅＮＢによるＳＲ送信用リソースの割り当て動作について説明する。
【００７６】
図１３に示すように、ステップＳ１０１において、無線基地局ｅＮＢは、ＰＵＣＣＨ用リソース内で、ＳＲ送信用リソースとして割り当て可能な空きリソースが存在するか否かについて判定する。
【００７７】
かかる空きリソースが存在すると判定された場合、無線基地局ｅＮＢは、ステップＳ１０２の処理に進み、かかる空きリソースが存在しないと判定された場合、無線基地局ｅＮＢは、ＳＲ送信用リソースの割り当てに失敗する。
【００７８】
ステップＳ１０２において、無線基地局ｅＮＢは、ＳＲ送信用リソースとして割り当て可能な空きリソースを含むＲＢ内で、リソース使用率（ＣＳ/ＯＣの使用率）の最小値Ｎｍｉｎを求める。
【００７９】
無線基地局ｅＮＢは、ステップＳ１０３において、「ｋ＝０」と設定し、ステップＳ１０４において、「ｐ（ｋ）＞Ｎｍｉｎ」が成立するか否かについて判定する。ここで、ｐ（ｋ）は、ＲＢ＃ｋ（ｋ番目のＲＢ）におけるリソース使用率である。
【００８０】
無線基地局ｅＮＢは、「ｐ（ｋ）＞Ｎｍｉｎ」が成立すると判定した場合、ステップＳ１０５において、サブフレーム内のＲＢの合計数を超えるまで「ｋ」を１つだけインクリメントし、ステップＳ１０４の動作に戻る。
【００８１】
一方、無線基地局ｅＮＢは、「ｐ（ｋ）＞Ｎｍｉｎ」が成立しないと判定した場合、ステップＳ１０６において、かかるＲＢ＃ｋを、ＳＲ送信用リソースとして割り当て、ステップＳ１０７において、「ｎ  ＝  （ＭｋＳＲ＋１）  ｍｏｄ  ＮｋＳＲ」によって「ｎ」を算出する。
【００８２】
ここで、ＭｋＳＲは、ｋ番目のＲＢ内で使用されているＳＲ送信用リソースの数であり、ＮｋＳＲは、ｋ番目のＲＢ内における使用可能な全ＳＲ送信用リソースの数である。
【００８３】
ステップＳ１０８において、無線基地局ｅＮＢは、ＲＢ＃ｋ内のｎ番目のリソース（ＣＳ/ＯＣ）が使用可能であるか否かについて判定する。
【００８４】
無線基地局ｅＮＢは、ＲＢ＃ｋ内のｎ番目のリソース（ＣＳ/ＯＣ）が使用可能であると判定した場合に、ステップＳ１０９において、ＳＲ送信用リソースとしてＲＢ＃ｋ内のｎ番目のリソース（ＣＳ/ＯＣ）を割り当てる。
【００８５】
一方、無線基地局ｅＮＢは、ＲＢ＃ｋ内のｎ番目のリソース（ＣＳ/ＯＣ）が使用可能ではないと判定した場合に、ステップＳ１１０において、「ｎ」を１つだけインクリメントし、ステップＳ１１１において、「ｎ＞ＮｋＳＲ」が成立するか否かについて判定する。
【００８６】
無線基地局ｅＮＢは、「ｎ＞ＮｋＳＲ」が成立すると判定した場合、ステップＳ１０５の動作に戻り、「ｎ＞ＮｋＳＲ」が成立しないと判定した場合、ステップＳ１０８の動作に戻る。
【００８７】
（本発明の第１の実施形態に係る移動通信システムの作用・効果）
本発明の第１の実施形態に係る移動通信システムによれば、無線基地局ｅＮＢにおいて、ＳＲ送信用リソースとして割り当てるサブフレーム及びＲＢを決定した後に、ＳＲ送信用リソースとして割り当てるＣＳ/ＯＣを決定するように構成されているため、同一のＲＢ内でＳＲ送信用リソースとして割り当てるＣＳ/ＯＣの数を低減することによって、干渉の影響を抑制することができる。
【００８８】
以上に述べた本実施形態の特徴は、以下のように表現されていてもよい。
【００８９】
本実施形態の第１の特徴は、無線基地局ｅＮＢであって、各移動局ＵＥに対して、上りデータ通信についてのスケジューリングを要求するＳＲ（スケジューリング要求）を送信するためのＳＲ送信用リソース（スケジューリング要求送信用リソース）として割り当てるサブフレーム（時間方向リソース）とＲＢ（周波数方向リソース）とＣＳ/ＯＣ（コード方向リソース）とを決定する、すなわち、ＳＲ送信用リソースとして割り当てる各サブフレーム内のリソース（周波数方向リソース及びコード方向リソースの組み合わせ）を特定するリソースインデックスを決定するように構成されているリソース割当部１１を具備し、リソース割当部１１は、ＳＲ送信用リソースとして割り当てるサブフレーム及びＲＢを決定した後、ＳＲ送信用リソースとして割り当てるＣＳ/ＯＣを決定するように構成されていることを要旨とする。
【００９０】
本実施形態の第１の特徴において、リソース割当部１１は、各ＲＢにおけるＣＳ/ＯＣの使用状況に基づいて、ＳＲ送信用リソースとして割り当てるＲＢを決定するように構成されていてもよい。
【００９１】
本実施形態の第１の特徴において、リソース割当部１１は、各サブフレーム内において、使用中のＣＳ/ＯＣの数が少ないＲＢから順に、ＳＲ送信用リソースとして割り当てるように構成されていてもよい。
【００９２】
本実施形態の第１の特徴において、リソース割当部１１は、各サブフレーム内において、使用可能なＣＳ/ＯＣの数が多いＲＢから順に、ＳＲ送信用リソースとして割り当てるように構成されていてもよい。
【００９３】
本実施形態の第１の特徴において、リソース割当部１１は、各サブフレーム内において、ＣＳ/ＯＣの使用率が小さいＲＢから順に、ＳＲ送信用リソースとして割り当てるように構成されていてもよい。
【００９４】
本実施形態の第１の特徴において、リソース割当部１１は、各サブフレーム内において、解放された後に一定期間経過したＣＳ/ＯＣを、使用可能なＣＳ/ＯＣとするように構成されていてもよい。
【００９５】
本実施形態の第１の特徴において、ＳＰＳ  Ａ/Ｎ送信用リソース（セミパーシステントスケジューリング送達確認信号送信用リソース）は、ＳＰＳ（セミパーシステントスケジューリング）によってスケジューリングされＰＤＳＣＨ（下りデータチャネル）を介して送信された下りデータに対するＡ/Ｎ（送達確認信号）を送信するためのリソースであり、ＤＳ  Ａ/Ｎ送信用リソース（ダイナミックスケジューリング送達確認信号送信用リソース）は、ＤＳ（ダイナミックスケジューリング）によってスケジューリングされＰＤＳＣＨを介して送信された下りデータに対するＡ/Ｎを送信するためのリソースであり、リソース割当部１１は、ＳＲ送信用リソースとして割り当てられたＲＢ内で使用可能なＣＳ/ＯＣのうち、ＤＳ  Ａ/Ｎ送信用リソースとして使用可能なＣＳ/ＯＣ以外の残りのＣＳ/ＯＣを、ＳＰＳ  Ａ/Ｎ送信用リソース或いはＳＲ送信用リソースとして使用可能なＣＳ/ＯＣとするように構成されていてもよい。
【００９６】
本実施形態の第１の特徴において、リソース割当部１１は、各ＲＢにおけるＳＰＳ  Ａ/Ｎ送信用リソースとして使用されているＣＳ/ＯＣの使用状況及びＳＲ送信用リソースとして使用されているＣＳ/ＯＣの使用状況に基づいて、ＳＲ送信用リソースとして割り当てるＲＢを決定するように構成されていてもよい。
【００９７】
本実施形態の第１の特徴において、リソース割当部１１は、ＤＳ  Ａ/Ｎ送信用リソースとして使用可能なＣＳ/ＯＣ以外の残りのＣＳ/ＯＣのうち、最も小さいリソースインデックス（番号）が付与されているＣＳ/ＯＣから順に、偶数のリソースインデックス（偶数番号）が付与されているＣＳ/ＯＣを、ＳＲ送信用リソースとして割り当てていくように構成されていてもよい。
【００９８】
本実施形態の第１の特徴において、リソース割当部１１は、ＤＳ  Ａ/Ｎ送信用リソースとして使用可能なＣＳ/ＯＣ以外の残りのＣＳ/ＯＣのうち、最も小さいリソースインデックス（番号）が付与されているＣＳ/ＯＣから順に、奇数のリソースインデックス（奇数番号）が付与されているＣＳ/ＯＣを、ＳＲ送信用リソースとして割り当てていくように構成されていてもよい。
【００９９】
本実施形態の第１の特徴において、リソース割当部１１は、ＤＳ  Ａ/Ｎ送信用リソースとして使用可能なＣＳ/ＯＣ以外の残りのＣＳ/ＯＣのうち、最も大きいリソースインデックス（番号）が付与されているＣＳ/ＯＣから順に、偶数のリソースインデックス（偶数番号）が付与されているＣＳ/ＯＣを、ＳＲ送信用リソースとして割り当てていくように構成されていてもよい。
【０１００】
本実施形態の第１の特徴において、リソース割当部１１は、ＤＳ  Ａ/Ｎ送信用リソースとして使用可能なＣＳ/ＯＣ以外の残りのＣＳ/ＯＣのうち、最も大きいリソースインデックス（番号）が付与されているＣＳ/ＯＣから順に、奇数のリソースインデックス（奇数番号）が付与されているＣＳ/ＯＣを、ＳＲ送信用リソースとして割り当てていくように構成されていてもよい。
【０１０１】
本実施形態の第２の特徴は、移動通信方法であって、各移動局ＵＥに対して、ＳＲ送信用リソースとして割り当てるサブフレームとＲＢとＣＳ/ＯＣとを決定する工程Ａと、ＳＲ送信用リソースとして割り当てられたサブフレームとＲＢとＣＳ/ＯＣとを、各移動局ＵＥに対して通知する工程Ｂとを有し、工程Ａにおいて、ＳＲ送信用リソースとして割り当てるサブフレーム及びＲＢを決定した後、ＳＲ送信用リソースとして割り当てるＣＳ/ＯＣを決定することを要旨とする。
【０１０２】
なお、上述の無線基地局ｅＮＢや移動局ＵＥの動作は、ハードウェアによって実施されてもよいし、プロセッサによって実行されるソフトウェアモジュールによって実施されてもよいし、両者の組み合わせによって実施されてもよい。
【０１０３】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０１０４】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ｅＮＢや移動局ＵＥ内に設けられていてもよい。また、かかる記憶媒体及びプロセッサは、ディスクリートコンポーネントとして無線基地局ｅＮＢや移動局ＵＥ内に設けられていてもよい。
【０１０５】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【０１０６】
ＵＥ…移動局
ｅＮＢ…無線基地局
１１…リソース割当部
１２…通知部
【図１】
2010232741.tif 000003
【図２】
2010232741.tif 000004
【図３】
2010232741.tif 000005
【図４】
2010232741.tif 000006
【図５】
2010232741.tif 000007
【図６】
2010232741.tif 000008
【図７】
2010232741.tif 000009
【図８】
2010232741.tif 000010
【図９】
2010232741.tif 000011
【図１０】
2010232741.tif 000012
【図１１】
2010232741.tif 000013
【図１２】
2010232741.tif 000014
【図１３】
2010232741.tif 000015